(57)【要約】【課題】営業者の業務を支援する技術を提供する。【解決手段】営業支援システム１は、顧客に関する情報と営業員に関する情報とを保持する支援データベース２０と、営業員が操作するクライアント端末３０と、クライアント端末３０に対してその要求に応じて支援データベース２０から抽出してデータを提供する支援サーバ１０とを備える。クライアント端末３０の表示画面３１には、営業員が行うべき業務が、優先順位に基づき集約して一括表示される。また、一括表示の際に、顧客管理部門（ＣＲＭ部門等）が顧客から受けた情報を、顧客の営業に関する情報と関連づけて表示する。【選択図】図１
2019057142.tif 000002
【特許請求の範囲】
【請求項１】
顧客に関する情報と営業員に関する情報とを保持するデータベースと、営業員が操作する表示端末と、前記表示端末に対してその要求に応じて前記データベースから抽出してデータを提供するサーバとを備える支援システムであって、
前記データベースから自動でデータを吸い上げるデータ抽出手段と、
前記吸い上げたデータに基づいて営業員が行うべき業務の優先順位を決定する優先順位設定手段と、
前記優先順位に基づいてトップ画面に集約して一括表示する表示制御手段と、
顧客管理部門が顧客から受けた情報を、前記顧客の営業に関する情報と関連づけて表示する顧客関連情報表示制御手段と
を備えることを特徴とする営業支援システム。
【請求項２】
前記優先順位設定手段は、営業員に応じて表示する優先順位を変更可能であることを特徴とする請求項１に記載の営業支援システム。
【請求項３】
遵守事項に関する基準をもとに、注意すべき段階を判断し、判断結果に応じて、前記遵守事項に関連する表示態様を変更する表示態様変更手段と、
を備えることを特徴とする請求項１または２に記載の営業支援システム。
【請求項４】
前記営業員が行うべき業務に応じて設定された条件に基づいて抽出された情報を前記営業員の管理者に通知する通知手段を備えることを特徴とする請求項１から３までのいずれかに記載の営業支援システム。
【発明の詳細な説明】
【技術分野】
【０００１】
本発明は、営業支援システムに係り、例えば、金融商品・サービスを提供する金融機関における営業支援システムに関する。
【背景技術】
【０００２】
投資信託等の金融商品を販売する証券会社等の金融機関では、顧客との接触内容を登録する営業日報のシステム化、及び顧客に関する商品取引の適合性等の顧客属性のシステム化が進められている。
【０００３】
一方、金融機関が金融商品を販売する上で、リスクに関する説明が顧客へ十分に説明することが義務づけられている。具体的には、金融商品販売法において、金融機関は金融商品を販売する際に、その金融商品の特徴、リスク等の金融商品の取引における重要事項を顧客へ説明する必要がある。そこで、それらを考慮した金融機関向けの営業支援システムに関する技術が提案されている（例えば、特許文献１、２参照）。
【０００４】
一般に、（１）営業支援システムにおいて営業員等が操作する端末の表示画面では、顧客管理、折衝記録、イベント情報、事務手続き、コールセンターからの情報、実績表示画面等営業員をサポートするメニューが個々に用意されている。また、（２）ＴＯＰ画面では、営業員が営業支援システムを利用する為のメニュー（顧客管理、折衝記録等）が一覧表示される。また、（３）お客さまへの架電、訪問のきっかけは、顧客情報管理の情報、折衝記録の情報、取引、預かりの状況、本社の通達等を確認して対応をリストアップして実施している。（４）お客さまへの売買状況把握にて、コンプライアンス評価に抵触する内容とならないかの確認は、意識的に営業員がコンプライアンス基準とお客様の状況を確認して実施している。
【先行技術文献】
【特許文献】
【０００５】
【特許文献１】特開２００８−１８１５５１号公報
【特許文献１】特開２００８−１８１５５２号公報
【発明の開示】
【発明が解決しようとする課題】
【０００６】
ところで、従来提案されているシステムで提供されている操作画面では、次の様な課題がある。すなわち、（１）営業員が事前に個々の画面に遷移し、情報を確認してアクションを起こし、主体的に内容を入力する必要がある。（２）営業員は面談及び書類の有効期日連絡、取引、入出金発生による業務通知、本社からのキャンペーンイベント、顧客のイベント等、顧客へのフォローイベント内容が多岐にわたり、必要なアクションの気づきは各自の管理に任されており、システム化されていない。（３）新入社員等不慣れな営業員が業務を行うには気づきの観点が浅い点で、顧客へのファーストアクションまで時間が掛かり、気づきの観点をサポートする営業支援としては不足している。（４）コンプライアンス評価に関し、顧客の売買状況管理に基づき法令違反する前に事前に警告通知を行うことで、法令違反を未然に防止する手助けになる機能が不足している。
【０００７】
本発明は、このような状況に鑑みなされたもので、上記課題を解決することを目的とする。
【課題を解決するための手段】
【０００８】
本発明は、顧客に関する情報と営業員に関する情報とを保持するデータベースと、営業員が操作する表示端末と、前記表示端末に対してその要求に応じて前記データベースから抽出してデータを提供するサーバとを備える支援システムであって、前記データベースから自動でデータを吸い上げるデータ抽出手段と、前記吸い上げたデータに基づいて営業員が行うべき業務の優先順位を決定する優先順位設定手段と、前記優先順位に基づいてトップ画面に集約して一括表示する表示制御手段と、顧客管理部門が顧客から受けた情報を、前記顧客の営業に関する情報と関連づけて表示する顧客関連情報表示制御手段と、を備える。
また、前記優先順位設定手段は、営業員に応じて表示する優先順位を変更可能であってもよい。
また、遵守事項に関する基準をもとに、注意すべき段階を判断し、判断結果に応じて、前記遵守事項に関連する表示態様を変更する表示態様変更手段を備えてもよい。
前記営業員が行うべき業務に応じて設定された条件に基づいて抽出された情報を前記営業員の管理者に通知する通知手段を備えてもよい。
【発明の効果】
【０００９】
本発明によると、営業員のトップ画面に、フォローイベント内容、直近のアクション等、営業員がやらなければいけない作業、状況を集約し、詳細確認は、他画面に遷移することで、効率的な作業を実現できる。また、別の観点では、気づきからアクションまでのフローを作成する事で、多岐に渡るフォロー内容に対しても経験の浅い営業員でも対応でき、また、ＴＯＰ画面で営業員の活動をサポートする技術を提供することができる。
【図面の簡単な説明】
【００１０】
【図１】実施形態に係る、営業支援システムの概略構成図である。
【図２】実施形態に係る、表示画面に最初に表示されるＴＯＰ画面の例を示す図である。
【図３】実施形態に係る、画面遷移の概要を説明する図である。
【図４】実施形態に係る、トピックス画面の遷移例を説明する図である。
【図５】実施形態に係る、トピックス設定画面の例を示す図である。
【図６】実施形態に係る、アクションリスト登録画面からアクション画面への反映例を示す図である。
【図７】実施形態に係る、事務処理画面の画面例を示す。
【図８】実施形態に係る、コールセンター連携画面の画面例を示す図である。
【図９】実施形態に係る、コンプライアンスアナウンス画面に表示される情報例を示す図である。
【発明を実施するための形態】
【００１１】
次に、本発明を実施するための形態（以下、単に「実施形態」という）を、図面を参照して具体的に説明する。
【００１２】
図１は、本実施形態に係る営業支援システム１の構成図であって、この営業支援システム１は、金融機関に於ける営業業務を支援するシステムとして機能する。営業支援システム１は、支援サーバ１０と、支援データベース２０と、クライアント端末３０とを備え、それらがネットワーク２によって接続されている。なお、支援サーバ１０と支援データベース２０が一体に構成されてもよい。また、支援サーバ１０とクライアント端末３０が一体で機能する構成でもよい。
【００１３】
この営業支援システム１を利用する営業員（管理者も含む）の操作及び営業支援システム１の動作について説明する。営業員は、クライアント端末３０からネットワーク２を介して支援サーバ１０にアクセスし、表示画面３１に所望の画面を表示し各種操作を行う。
【００１４】
支援データベース２０は、営業情報（営業日報等）や顧客情報（顧客属性）等が関連づけられて蓄積されている。具体的には、支援データベース２０は、顧客情報部２１と、取引履歴部２２と、資産情報部２３と、折衝記録情報部２４と、コンプライアンス情報部２５と、組織情報部２６とを備える。
【００１５】
顧客情報部２１には、顧客情報として、例えば、「氏名」、「住所」、「年齢」、「性別」、「職業」等の基本属性の他に、投資経験、金融商品の取引における重要事項の説明の要否を含む取引の適合性等の情報が記録されている。取引履歴部２２には、金融商品の売買履歴が記録されている。資産情報部２３には、顧客の資産情報が記録されている。折衝記録情報部２４には、営業日報（顧客との接触内容、依頼事項等）が記録されている。
【００１６】
支援サーバ１０は、クライアント端末３０からのアクセスに応じて、支援データベース２０に蓄積されている顧客属性等をクライアント端末３０に送信する。また、支援サーバ１０は、クライアント端末３０で入力された各種の情報を支援データベース２０に記録・更新する。なお、支援サーバ１０とクライアント端末３０における動作は全てソフトウェアで実現することができる。このソフトウェアは、例えばＷｅｂアプリケーションであっても良い。なお、この営業支援システム１により実現される「機能」は、それぞれの「機能」に対応する「手段」「部」「装置」と言った表現に置き換えることができる。
【００１７】
次に、営業支援システム１の動作・機能の詳細について説明する。ここでは、主にクライアント端末３０の表示画面３１に表示される画面及びその遷移に着目して説明する。
【００１８】
図２は、営業員が営業支援システム１を利用する際に、表示画面３１に最初に表示されるＴＯＰ画面４０の例である。ＴＯＰ画面４０には、営業員の業務集約画面としての機能が導入されている。このＴＯＰ画面４０には、以降で詳細を説明するように、フォローイベント内容、直近のアクション等、営業員がやらなければいけない作業、状況を集約し、詳細確認は、他画面に遷移することで、効率的な作業を実現する。また、気づきからアクションまでのフローを作成する事で、多岐に渡るフォロー内容に対しても経験の浅い営業員でも対応する。
【００１９】
画面構成として、具体的には、画面上端部分の上部情報表示エリア４１と、その下の画面大部分を示す表示本体エリア４２とから構成されている。上部情報表示エリア４１には、図左側部分のニュースフィードの「お知らせメッセージ領域」と右側部分の「営業員情報領域」とが設けられている。ニュースフィードには、例えば支店長が入力した部店メッセージや本部が入力したメッセージが表示される。営業員情報領域には、利用している営業員の所属やＩＤ、ログイン日時等が表示されている。
【００２０】
表示本体エリア４２には、上部情報表示エリア４１の直ぐ下のエリアに、メニューバー４３と検索エリア４４とが設けられている。
【００２１】
メニューバー４３は、ＴＯＰ画面４０や各種詳細の画面に切り替わるためのボタンが設けられている。具体的には、「ＴＯＰ」ボタン、「顧客管理」ボタン等が設けられている。すなわち、選択可能な機能の一覧をメニューバー４３に集約し、各種詳細画面に遷移することができる。検索エリア４４は、営業支援システム１で提供する各種機能や顧客情報、営業員情報等を検索する機能を提供する。
【００２２】
メニューバー４３及び検索エリア４４の下の領域には、画面左側のトピックス／報告管理画面５０、事務処理画面６０、及びアクション画面７０と、画面右側の実績／詳細表示エリア８０及びコールセンター連携／コンプライアンスアナウンスエリア９０とが設けられている。ここでは、初期状態として、実績／詳細表示エリア８０に実績画面８１が、コールセンター連携／コンプライアンスアナウンスエリア９０にコールセンター連携画面９１が表示されている状態を示している。
【００２３】
トピックス／報告管理画面５０には、トピックス画面５１、及びそれと切り替わる報告管理画面５２、５３（図３参照）が表示される。トピックス画面５１には、営業員が行うべき業務（「顧客の誕生日」等のように認識すべき事項も含む）であるトピックスが表示される。営業員は、この画面でトピックスを確認することで、「気づき」、「フォロー」といった観点の認識・動作を行うことができる。
【００２４】
事務処理画面６０には、「お客さまからの依頼」をリスト化した画面及びその登録画面が表示される。すなわち、お客さま（顧客）に対して、やるべきことや他の営業員にお願いしたことを管理、表示することができる。この画面によって、顧客に対するアクションを迅速に把握・確認できる。
【００２５】
アクション画面７０はいわゆる行動管理画面であって、ここには直近のアクションをリスト化した表示、およびその登録画面が表示される。
【００２６】
実績／詳細表示エリア８０には、初期状態（すなわちメニューバー４３で「ＴＯＰ」ボタンが押下された状態）では実績画面８１が表示され、また、メニューバー４３で「ＴＯＰ」ボタン以外のボタンが押下された場合には、それらボタンに関連づけられた各種詳細画面が表示される。
【００２７】
実績画面８１では、個人の実績を進捗（達成率）、予算、実績を日々更新が表示される。また、当月、当期を切り替え表示することができる。また、この各種詳細画面は、メニューバー４３のみならず、トピックス／報告管理画面５０、事務処理画面６０、アクション画面７０、実績画面８１、コールセンター連携／コンプライアンスアナウンスエリア９０に対する操作によっても、その操作に関連づけられた詳細画面が表示される。そのような表示動作については後述する。
【００２８】
コールセンター連携／コンプライアンスアナウンスエリア９０には、初期状態におけるコールセンター連携画面９１と所定条件下（タブ切換操作等）におけるコンプライアンスアナウンス画面９２（図３参照）が表示される。コールセンター連携画面９１では、コールセンターで自担当顧客の問い合わせが有った場合の連絡事項、フォロー事項が表示される。コンプライアンスアナウンス画面９２では、顧客の売買状況からコンプライアンス確認が必要になりそうな候補客が表示される。
【００２９】
まず、図３を参照して、画面遷移の概要を説明する。ここでは、トピックス／報告管理画面５０、事務処理画面６０、アクション画面７０、実績／詳細表示エリア８０及びコールセンター連携／コンプライアンスアナウンスエリア９０に着目して説明する。
【００３０】
トピックス／報告管理画面５０では、上述したように、トピックス画面５１、報告管理画面５２、５３がそれら画面内のタブの操作によって切り替わる。トピックス画面５１では、例えば、顧客へ連絡が必要な気づきを、業務通知、期日、イベント等に分類し、一覧表示される。表示された一覧から確認したい対象を選択すると対象の顧客の詳細一覧（トピックス詳細画面５００）を実績／詳細表示エリア８０に画面切り替えを行い表示する。
【００３１】
アクション画面７０では、操作している日を基準に、例えば、前営業日、前営業日以前１週間、翌営業日、翌営業日以降１ヶ月等日付のアクション、すなわち行動スケジュールが、リスト化されて表示される。なお、非営業日にログインした場合には、翌営業日を基準に表示される。
【００３２】
また、アクション画面７０では、新規のアクション登録も可能である。新規のアクション登録は、実績／詳細表示エリア８０に表示されるアクションリスト登録画面１１０（予定新規登録画面）や、トピックス／報告管理画面５０（及びそれに対応するトピックス詳細画面５００を含む）に対する操作から行う。どの操作から登録されたかは、例えばソフトウェア開発手法等によって内部的に記録される。また、アクション画面７０では、印刷等のために、所定形式（例えば、表計算ファイル形式）に整形したうえで出力する機能を備える。
【００３３】
例えば、営業員は、トピックス画面５１で対象の顧客を確認し、その顧客に対して、実績／詳細表示エリア８０に表示されるアクションリスト登録画面１１０でアクションを登録する。登録した内容は、アクション画面７０に表示される。このように、一連の作業フローがＴＯＰ画面４０で行うことができる。アクションリスト登録画面１１０は、説明は省略するがその他に例えば顧客別詳細画面３０１や、案件登録画面３０２、案件進捗確認画面３０３等の画面からも表示させることが可能である。
【００３４】
事務処理画面６０には、「お客さまからの依頼」がリスト化され表示されるが、例えば所定の操作によって、実績／詳細表示エリア８０に、依頼新規登録画面４０１を表示させて依頼事項を新規に登録したり、関連事項の詳細を表示させたりすることができる。
【００３５】
コールセンター連携画面９１には、お客さまとのコンタクト一覧がリスト化され表示される。例えば、営業員は、このリストの所望の日時欄への操作によって、実績／詳細表示エリア８０にコールセンター折衝記録カードを表示させ、詳細を確認することができる。また、上述のように、コールセンター連携画面９１と連動するコンプライアンスアナウンス画面９２に、コンプライアンス確認が必要になりそうな候補客が表示され、迅速な対応が可能である。
【００３６】
これによって、以下の効果を得ることができる。
（１）営業員が今日やるべき業務内容が一目で把握できるようになる。
（２）営業経験の少ない者に対して効果的な営業支援画面を実現できる。
（３）関連の別システムであるＣＲＭシステムにおける業務の優先順位も分かるため、業務効率化に繋がる。また、業務漏れ防止やきっかけ作りにも貢献できる。
（４）登録画面と入力画面が１つになり操作性や視認性も向上し、絞り込み条件の共通化を図ることができる。
（５）コンプライアンス評価に関し、顧客の売買状況管理に基づき法令や内部規則等に違反する前に事前に警告や管理者への通知を行うことにより、コンプライアンス違反を未然に防止することができる。また、顧客情報を一元管理することにより、情報連携を容易にし、効率良い業務が可能となる。
【００３７】
つづいて、ＴＯＰ画面４０に表示される各種画面の詳細について説明する。
まず、図４は、トピックス画面５１の遷移例を説明する図である。具体的には、図４（ａ）はトピックス／報告管理画面５０に表示されるトピックス画面５１、図４（ｂ）はそれに関連づけられている詳細画面例（ここではトピックス詳細画面５１０）を示している。
【００３８】
図４（ａ）に示すように、トピックス画面５１では、上部左側領域のトピックスアイコン５０１及びタイトルエリア５０２、上部右側領域の設定アイコン５０３を備える。それらの下の領域で、各個人で設定したトピックスが表示される。
【００３９】
ここでは、区分エリア５０７、通知内容エリア５０８、件数エリア５０９が設けられている。区分エリア５０７には各トピックスに紐づいた区分が表示される。通知内容エリア５０８には具体的な通知内容が表示される。件数エリア５０９には、ログイン扱者に対して、該当する件数が表示され、各トピックス対象となった口座を担当している扱者にて表示される。「非表示」更新またはトピックスの定義によっては、対応することにより件数は減っていく。
【００４０】
例えば、区分「業務通知」では、通知内容「Ａ」について、件数が「１１」件となっている。また、区分「期日」では、通知内容「Ｃ」について、件数が「２」件となっている。通知内容エリア５０８の通知内容には、リンクが設定されている。ここでは下線が付されてリンクが設定されている旨が認識可能になっている。その通知内容を押下することで、詳細画面に遷移する。
【００４１】
例えば、図４（ａ）の通知内容「Ｃ」（すなわちリンク）を押下することで、実績／詳細表示エリア８０において、図４（ｂ）のトピックス詳細画面５１０が表示される。
【００４２】
トピックス詳細画面５１０では、上部のタイトルエリア５１１に具体的なトピックス項目名（ここでは「Ｃ」）が表示され、さらにその右側には、表ファイル出力ボタン５１２及び更新ボタン５１３が設けられている。それら下の本体領域では、アイコンエリア５１４、「口座番号／お客さま名」エリア５１５、「銘柄コード／銘柄名」エリア５１６、有効期限日エリア５１７及び非表示選択エリア５１８が設けられリスト表示されている。リスト化された項目は、例えば、最大で１００件表示可能となっており、それを超える場合はページ送りにて表示される。
【００４３】
アイコンエリア５１４には、行動管理ロゴが選択可能に表示されており、これをクリックすることにより、別画面にて、行動管理画面（アクションリスト登録画面１１０（予定新規登録画面）、アクションリスト編集画面２１０）が開く。
【００４４】
また、非表示選択エリア５１８では、チェックボックスが設けられており、これをチェックすると非表示となる。チェック「ＯＮ」とし、更新ボタン５１３を押下することにより設定が登録される。
【００４５】
図５は、トピックス設定画面５２０の例であって、図４（ａ）の設定アイコン５０３を押下することで、この画面へ遷移する。ここでは、表示選択エリア５２１、表示順設定エリア５２２、区分エリア５２３、通知内容エリア５２４が設けられている。ここでは、１６件の項目が例示されている。
【００４６】
なお、本設定内容は、社員コード単位で設定することができる。すなわち、営業員それぞれの力量に応じてトピックスの優先順位を設定することができる。例えば、経験の浅い営業員が疎かにしがちなトピックスの表示順を上の方にするといった設定が可能である。また、社員コード毎に、例えば経験が浅いような社員について、上位の表示順が変更不可に予め設定されてもよい。
【００４７】
表示選択エリア５２１では、ＴＯＰ画面４０のトピックス画面５１に表示させたい通知内容にチェックを入れる。初期値は、全てにチェックされている。なお、項目によってチェックを外すことができない設定にしてもよい。
【００４８】
表示順設定エリア５２２では、トピックス画面５１に表示させたい順序を指定する。指定されていない場合や重複した場合は、予め設定されているルール（例えば、トピックス番号）に準じて表示される。
【００４９】
区分エリア５２３では、各トピックスに紐づいた区分が表示される。通知内容エリア５２４では、トピックス画面５１に表示できる通知内容が表示される。リンク（アンカー）を押下することで、表示される項目を事前確認できる。区分エリア５２３で、トピックスがどのような区分であるか分かるので、設定の際に考慮すべき事項を把握しやすい。
【００５０】
図６はアクションリスト登録画面１１０（行動管理登録）からアクション画面７０（アクションリスト）への反映例を示している。この画面で、ログイン者の行動予定が登録される。ログイン者と同じ部店内の顧客のみ登録可能である。また、編集は登録者と同一部店の扱者のみ可能である。図６（ａ）のアクションリスト登録画面１１０の上段部分に基本事項入力エリア１２０が設けられている。その下には、各種の入力・設定エリアが設けられ、画面下の領域には、メモ入力エリア１６０が設けられている。さらに、最下部の領域には、各項目を入力後に最終登録操作するための登録ボタン１６１及び登録を中断する際の「閉じる」ボタンが設けられている。例えば、図４（ｂ）のトピックス詳細画面５１０のアイコンエリア５１４に表示されている行動管理ロゴが押下されると、図６（ａ）に示されるようなアクションリスト登録画面１１０が表示される。各項目に関して入力後、登録ボタン１６１を押下することで、図６（ｂ）の太線枠に示すようにアクション画面７０に入力内容が反映される。
【００５１】
アクション画面７０において、画面上段部分に、アクションリストアイコン７０１（行動管理ロゴ）、タイトルエリア７０２、表ファイル出力ボタン７１２、新規登録ボタン７１３が設けられている。それらの下側には、日付タブ７１０及びリストエリア７２０が設けられている。
【００５２】
日付タブ７１０には、例えば営業日基準で６つのタブが設けられており、左側から５日前営業日迄のタブ（９／１６〜９／２２）、前営業日の当日タブ（９／２４）、入力日の当日タブ（９／２５）、翌営業日の当日タブ（９／２６）、１ヶ月タブ（９／２９〜１０／２５）、及び未定タブが設けられている。
【００５３】
左側から５日前営業日迄のタブ（９／１６〜９／２２）及び１ヶ月タブ（９／２９〜１０／２５）のように、複数の日付が設定されている場合には、「時間」欄に特定の日付も含まれて表示され、当日タブ等の特定の日付タブの場合には時間のみ表示される。
【００５４】
図７は、事務処理画面６０の画面例を示す。画面上段部分に事務処理アイコン６０１、タイトルエリア６０２及び新規登録ボタン６１３が設けられている。それらの下には、選択タグ６１０及びリストエリア６２０が設けられている。
【００５５】
選択タグ６１０には「やるべきこと」タグ６１１及び「お願いごと」タグ６１２が設けられている。リストエリア６２０には、選択タグ６１０で選択されたタグに関連づけられている事項がリスト表示される。ここでは「やるべきこと」タグ６１１が選択されている。
【００５６】
事務処理画面６０では、顧客を中心としてある扱者から別の扱者への情報引継機能を実現する。例えば、担当扱者が不在時に、顧客からの依頼事項を他扱者が受け付けた場合に活用する。
【００５７】
図８は、コールセンター連携画面９１の画面例である。図８に示すように、コールセンター連携画面９１の上部には、ロゴマーク９０１、タイトル９０２及び既読登録ボタン９０３が設けられている。既読登録ボタン９０３の押下で、既読チェックしたものを一括で既読登録することができる。
【００５８】
それらの下には、案件リストエリア９３０が設けられている。案件リストエリア９３０には、日付欄９３１、口座番号／お客さま名欄９３２、カテゴリ欄９３３、架電状況欄９３４、結果欄９３５、対応欄９３６、コメント欄９３７、及び既読チェック欄９３８等の欄が設けられ、他にも図示しないコールセンター受付担当者名欄、顧客問い合わせ目的欄等がある。
【００５９】
日付欄９３１の日時（リンク）を押下することで、例えば、コールセンターが対応した際の記録等が表示され、既読チェック欄９３８が既読となる。
【００６０】
図９は、コンプライアンスアナウンス画面に表示される情報例を示している。この画面は、例えば、コールセンター連携／コンプライアンスアナウンスエリア９０と切り替え表示される。表示項目は、「事前アラーム分類」「顧客名（お客さま名）」「年齢」「職業」「預かり資産」「手数料合計」「資産手数料率」「損益合計」「資産損益率」「買回数」「売回数」「前々月」「前月」「当月」等である。
【００６１】
コンプライアンス評価に関し、顧客の売買状況管理に基づき違反する前に事前に警告や管理者への通知を行うことにより、コンプライアンス違反を未然に防止することができる。
【００６２】
以上、本実施形態の営業支援システム１によると、自動で支援データベース２０等からデータを吸い上げると共に、営業員が行うべき業務をランキング（優先順位付け）し、ＴＯＰ画面４０一画面に集約して一括表示する。
【００６３】
すなわち、表示される内容は顧客に対するアクションであったり、営業員（扱者）から別の営業員（扱者）への依頼（本人がやるべきことのみでなく、他の営業員へ依頼することもできる）によってもたらされたり、営業部門だけでなく管理部門（総務部門や法務部門等）に対するアクションであったり、営業上の注意事項であったり種々のものに対応できる。
【００６４】
また、一画面において、やるべきことや他者（別の扱者）からの依頼事項を表示するだけでなく、顧客との通話情報等のようなコールセンター（ＣＲＭシステムのような顧客管理部門のシステム）からの情報も一括表示できる。さらに、担当営業員に応じてその力量に合わせ、表示する優先順位を変更できる。また、通知された内容をクリックすることにより、アクションリストに自動登録されると共に、詳細が表示されてやることを確認できるような設定を行うこともできる。
【００６５】
表示画面中に設けられた選択用のタグ等の色を変える設定によって、例えば、事前アラームを表示可能とし、やるべきことが認識できるだけでなく、コンプライアンスチェックも可能となる。また、イベント、キャンペーンの告知もあり、顧客に応じて提案できる。
【００６６】
また、顧客別に別画面となっており、顧客毎にトピックスが確認可能であり、コンプライアンスチェックも顧客毎に可能であるため、顧客の取り違えミスを防止できる。特定のトピックに応じた条件（例えば一定年齢以上の高齢者である。）に基づいて自動的に上長やコンプライアンス室に通知することができる。
【００６７】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００６８】
１  営業支援システム
２  ネットワーク
１０  支援サーバ
２０  支援データベース
３０  クライアント端末
３１  表示画面
４０  ＴＯＰ画面
５０  トピックス／報告管理画面
５１  トピックス画面
５２  報告管理画面
５３  報告管理画面
６０  事務処理画面
７０  アクションリスト画面
８０  実績／詳細表示エリア
８１  実績画面
９０  コールセンター連携／コンプライアンスアナウンスエリア
９１  コールセンター連携画面
９２  コンプライアンスアナウンス画面
【図１】
2019057142.tif 000003
【図２】
2019057142.tif 000004
【図３】
2019057142.tif 000005
【図４】
2019057142.tif 000006
【図５】
2019057142.tif 000007
【図６】
2019057142.tif 000008
【図７】
2019057142.tif 000009
【図８】
2019057142.tif 000010
【図９】
2019057142.tif 000011